(57)【要約】【課題】プロジェクタの高輝度化に伴い偏光変換素子の耐久寿命の要求が求められてきている。耐久性が劣化する要因として位相差板の有機フィルム材や偏光素子の接着剤があげられる。位相差板の材質は、有機フィルムの代替えとして無機の水晶を採用しているが、偏光素子の接着剤に関しては耐熱性の接着剤を選定しているが、耐久性を十分に満足できる構造とはなっていない為、冷却効率の高い偏光変換素子の冷却構造が要求される。【解決手段】偏光変換素子の位相差板が配置されている出射面側において位相差板が配置されていない領域に冷却風を送るための導風形状を設けることで偏光素子の入射側と出射側の温度差を低減させつつ、位相差板を冷却することができる。このため、位相差板と偏光素子の接着剤の劣化を低減することができるため、偏光変換素子の耐久寿命を改善することが出来る。【選択図】図４
2018004849.tif 000002
【特許請求の範囲】
【請求項１】
光を照射する光源と、偏光分離面を用いて、光源から入射した無偏光光を直線偏光に変換する偏光変換素子と、前記直線偏光を用いて画像形成素子を照明する光を生成し、該画像形成素子で変調され
た光を投射光学系により被投射面に投射する光学系と、前記偏光変換素子に対して冷却風を供給する冷却手段とを有し、
前記偏光変換素子は前記光源から照射された無偏光光を所定の偏光成分である第１偏光光を追加させ、第１偏光光と直交する第２の偏光光を反射させるビームスプリッタが形成された第１の短冊形状と第２偏光光が前記ビームスプリッタで反射され、更に反射させる反射膜が配置された第２の短冊形状とが、所定の間隔で交互に配列されている偏光素子部と
前記光源より照射された光に対し出射側に配置され、前記偏光素子からの出射光の偏光方向を揃える位相差板から構成され、
前記冷却手段は、前記位相差板が配置されている前記偏光素子の出射面側で且つ前記位相差板が配置されていない領域に沿って冷却風を供給する導風形状を有することを特徴とする液晶プロジェクタの冷却機構。
【請求項２】
前記位相差板は位相差板保持枠に位置決め保持されており、前記導風形状は位相差板保持枠に設けられていることを特徴とする請求項１に記載の液晶プロジェクタの冷却機構。
【請求項３】
前記冷却手段は、前記偏光変換素子に対し、冷却風は出射面側から吹きつけられ、前記位相差板保持枠の前記導風形状は前記位相差板が配置されていない位相に沿って設けられていることを特徴とする請求項１又は請求項２に記載の液晶プロジェクタの冷却機構。
【発明の詳細な説明】
【技術分野】
【０００１】
本発明は、液晶プロジェクタ等の画像投射装置に関し、特に偏光変換素子と偏光変換素子を冷却する構造を有する画像投射装置に関する。
【背景技術】
【０００２】
プロジェクタには、光源から入射した無偏光光を直線偏光に変換する偏光変換素子が用いられる場合がある。直線偏光は、偏光ビームスプリッタ等により構成される色分解合成光学系によって複数の色光に分解され、複数の色光は複数の画像形成素子（液晶パネル等）に導かれる。更に、複数の画像形成素子によって変調された複数の色光は、色分離合成光学系により合成されて投射面に投射される。
【０００３】
近年、プロジェクタは小型化且つ高輝度化の潮流にあり、偏光変換素子の単位面積あたりの光の強度が増加し、偏光変換素子は耐光性や耐熱性が優れたものが求められている。
【０００４】
変更変換素子の位相差板は、有機材のポリカーボネートフィルムが使用されているが、耐熱性・耐光性等が弱く、偏光変換素子に求められる光強度や温度に対して性能を満足することが難しい。
【０００５】
この対策として、有機材のポリカーボネートから無機材の水晶を位相差板に採用にしている。
【０００６】
水晶位相板はポリカーボネート位相差板と比較すると高価であるため、光強度が強く、温度が高温となる光軸中心領域には無機材の水晶位相板を採用し、温度が低い周辺部を有機材のポリカーボネート位相板を採用する提案がされている（特許文献１）。
【０００７】
また、冷却風の方向を加味し、冷却効果の高い風上側の領域にポリカーボネート位相板を配置、風下側の領域に水晶位相板を配置する提案がされている（特許文献２）。
【先行技術文献】
【特許文献】
【０００８】
【特許文献１】特開２００６−２８４６４８号公報
【特許文献２】特開２０１０−８５９４８号公報
【発明の概要】
【発明が解決しようとする課題】
【０００９】
しかしながら、高輝度化に伴い偏光変換素子への耐熱性・耐光性の要求は、位相板だけでは無く、偏光素子の固着を行なっている接着剤にも求められている。
【００１０】
従来の偏光変換素子の冷却は、位相差板の温度分布を加味した上で冷却風の風路設定あるいは位相差板の材料の選定を行なっているが、偏光素子の接着剤の冷却は特に注視しておらず、接着剤の耐熱性・耐光性による性能劣化が問題となることがあった。
【課題を解決するための手段】
【００１１】
上記の課題を解決するために、本発明に係る液晶プロジェクタの冷却機構は、
光を照射する光源と、偏光分離面を用いて、光源から入射した無偏光光を直線偏光に変換する偏光変換素子と、前記直線偏光を用いて画像形成素子を照明する光を生成し、該画像形成素子で変調された光を投射光学系により被投射面に投射する光学系と、前記偏光変換素子に対して冷却風を供給する冷却手段とを有し、前記偏光変換素子は前記光源から照射された無偏光光を所定の偏光成分である第１偏光光を追加させ、第１偏光光と直交する第２の偏光光を反射させるビームスプリッタが形成された第１の短冊形状と第２偏光光が前記ビームスプリッタで反射され、更に反射させる反射膜が配置された第２の短冊形状とが、所定の間隔で交互に配列されている偏光素子部と前記光源より照射された光に対し出射側に配置され、前記偏光素子からの出射光の偏光方向を揃える位相差板から構成され、前記冷却手段は、前記位相差板が配置されている前記偏光素子の出射面側の前記位相差板が配置されていない領域に沿って冷却風を供給する導風形状を有することを特徴とする。
【発明の効果】
【００１２】
本発明に係る液晶プロジェクタの冷却機構によれば、偏光変換素子の位相差板が配置されている出射面側において位相差板が配置されていない領域に冷却風を送るための導風形状を設けることで偏光素子の入射側と出射側の温度差を低減させつつ、位相差板を冷却することができる。このため、位相差板と偏光素子の接着剤の劣化を低減することができるため、偏光変換素子の耐久寿命を改善することが出来る。
【図面の簡単な説明】
【００１３】
【図１】本発明の実施例における液晶プロジェクタの全体構成を示す斜面図
【図２】本発明の実施例における液晶プロジェクタの光学構成を示す水平断面図及び垂直断面図
【図３】本発明の実施例における液晶プロジェクタの偏光変換素子の構成を示す図
【図４】本発明の実施例における偏光変換素子の冷却構成を示す斜視図
【図５】本発明の実施例における偏光変換素子の冷却構成を示す正面図
【発明を実施するための形態】
【００１４】
以下、本発明の好ましい実施例について図面を参照しながら説明する。
【実施例１】
【００１５】
（プロジェクタの全体構成）
図１には、本発明の実施例１である液晶プロジェクタ（画像投射装置）の構成を示している。
【００１６】
この図において、１は光源ランプ（以下、単にランプという）であり、本実施例では、高圧水銀放電ランプが用いられている。ただし、光源ランプ１として、高圧水銀放電ランプ以外の放電型ランプ（例えば、ハロゲンランプ、キセノンランプ、メタルハライドランプ）を用いてもよい。
【００１７】
２はランプ１を保持するランプホルダ、３は防爆ガラス、４はガラス押えである。αはランプ１からの光束を均一な明るさ分布を有する平行光束に変換する照明光学系、βは照明光学系αからの光を色分解して、後述するＲＧＢの３色用の液晶パネルに導き、さらに該液晶パネルからの光を色合成する色分解合成光学系である。
【００１８】
５は色分解合成光学系βからの光（画像）を図示しないスクリーン（被投射面）に投射する投射レンズである。投射レンズ５内には、後述する投射光学系が収納されている。
【００１９】
６はランプ１、照明光学系α及び色分解合成光学系βを収納するとともに、投射レンズ５が固定される光学ボックスである。該光学ボックス６には、ランプ１の周囲を囲むランプケース６ａが形成されている。
【００２０】
７は光学ボックス６内に照明光学系α及び色分解合成光学系βを収納した状態で蓋をする光学ボックス蓋である。
【００２１】
８は商用電源から各基板へのＤＣ電源を作り出すＰＦＣ電源基板、９は電源フィルタ基板、１０はＰＦＣ電源基板８とともに動作してランプ１を点灯駆動するバラスト電源基板である。
【００２２】
１１はＰＦＣ電源基板８からの電力により、液晶パネルの駆動とランプ１の点灯制御を行う制御基板である。
【００２３】
１２Ａ，１２Ｂはそれぞれ、後述する下部外装ケース２１の吸気口２１ａから空気を吸い込むことで、色分解合成光学系β内の液晶パネルや偏光板等の光学素子を冷却するための第１及び第２光学系冷却ファンである。
【００２４】
１３は両光学系冷却ファン１２Ａ，１２Ｂからの風を、色分解合成光学系β内の光学素子に導く第１ＲＧＢダクトである。
【００２５】
１４はランプ１に対して吹き付け風を送り、ランプ１を冷却するランプ冷却ファンである。
【００２６】
１５はランプ冷却ファン１４を保持しつつ、冷却風をランプ１に導く第１ランプダクトである。
【００２７】
１６はランプ冷却ファン１４を保持して、第１ランプダクト１５とともにダクトを構成する第２ランプダクトである。
【００２８】
１７は下部外装ケース２１に設けられた吸気口２１ｂから空気を吸い込み、ＰＦＣ電源基板８とバラスト電源基板１０内に風を流通させることで、これらを冷却するための電源冷却ファンである。
【００２９】
１８は排気ファンであり、ランプ冷却ファン１４からランプ１に送られてこれを冷却した後の熱風を、後述する第２側板Ｂ２４に形成された排気口２４ａから排出する。
【００３０】
下部外装ケース２１は、ランプ１、光学ボックス６及び電源系基板８〜１０及び制御基板１１等を収納する。
【００３１】
２２は下部外装ケース２１に光学ボックス６等を収納した状態で蓋をするための上部外装ケースである。
【００３２】
２３は第１側板であり、第２側板２４とともに外装ケース２１，２２により形成される側面開口を閉じる。
【００３３】
下部外装ケース２１には、上述した吸気口２１ａ，２１ｂが形成されており、第２側板２４には上述した排気口２４ａが形成されている。下部外装ケース２１、上部外装ケース２２、第１側板２３及び第２側板２４によって、該プロジェクタの筐体が構成される。
【００３４】
２５は各種信号を取り込むためのコネクタが搭載されたＩＦ基板であり、２６は第１側板２３の内側に取り付けられたＩＦ補強板である。
【００３５】
２７はランプ１からの排気熱を排気ファン１８まで導き、筐体内に排気風を拡散させないようにするための排気ダクトである。排気ダクト２７は、ランプ１からの光が装置の外部に漏れないようにするための遮光機能を有するランプ排気ルーバー１９，２０を内部に保持する。
【００３６】
２８はランプ蓋である。ランプ蓋２８は、下部外装ケース２１の底面に着脱可能に配置され、不図示のビスにより固定される。
【００３７】
また、２９はセット調整脚である。セット調整脚２９は、下部外装ケース２１に固定されており、その脚部２９ａの高さを調整可能となっている。脚部２９ａの高さ調整により、プロジェクタの傾斜角度を調整できる。
【００３８】
３０は下部外装ケース２１の吸気口２１ａの外側に取り付けられる不図示のゴミ除去フィルタを保持するＲＧＢ吸気プレートである。
【００３９】
３１は色分解合成光学系βを保持するプリズムベースである。
【００４０】
３２は色分解合成光学系β内の光学素子と液晶パネルを冷却するために、第１及び第２光学系冷却ファン１２Ａ，１２Ｂからの冷却風を導くダクト形状部を有するボックスサイドカバーである。
【００４１】
３３はボックスサイドカバー３２と合わさってダクトを形成する第２ＲＧＢダクトである。
【００４２】
３４は色分解合成光学系β内に配置される液晶パネルから延びたフレキシブル基板が接続され、制御基板１１に接続されるＲＧＢ基板である。
【００４３】
３５はＲＧＢ基板３４に電気ノイズが入り込まないようにするためのＲＧＢ基板カバーである。
【００４４】
（光学構成）
次に、前述したランプ１、照明光学系α、色分解合成光学系β及び投射レンズ（投射光学系）５により構成される光学系の構成について図３を用いて説明する。
【００４５】
図２において、（Ａ）は光学系の水平断面を、（Ｂ）は垂直断面をそれぞれ示す。
【００４６】
同図において、４１は連続スペクトルで白色光を発光する放電発光管（以下、単に発光管という）である。
【００４７】
４２は発光管４１からの光を所定の方向に集光する凹面鏡を有するリフレクタである。発光管４１とリフレクタ４２により光源ランプ１が構成される。
【００４８】
４３ａは図２（Ａ）に示す水平方向において屈折力を有するシリンドリカルレンズセルを複数配列した第１シリンダアレイである。
【００４９】
４３ｂは第１シリンダアレイ４３ａの個々のレンズセルに対応したシリンドリカルレンズセルを複数有する第２シリンダアレイである。
【００５０】
４４は紫外線吸収フィルタ、４５は無偏光光を所定の偏光方向を有する直線偏光に変換する偏光変換素子である。
【００５１】
４６は図２（Ｂ）に示す垂直方向において屈折力を有するシリンドリカルレンズで構成されたフロントコンプレッサである。
【００５２】
４７はランプ１からの光軸を、ほぼ９０度（より詳しくは８８度）折り曲げるための反射ミラーである。
【００５３】
４３ｃは垂直方向において屈折力を有するシリンドリカルレンズセルを複数配列した第３シリンダアレイである。
【００５４】
４３ｄは第３シリンダアレイ４３ｃの個々のレンズセルに対応したシリンドリカルレンズアレイを複数有する第４シリンダアレイである。
【００５５】
５０は色座標を所定値に調整するために特定波長域の色をランプ１に戻すためのカラーフィルタである。
【００５６】
４８はコンデンサーレンズである。４９は垂直方向において屈折力を有するシリンドリカルレンズで構成されたリアコンプレッサである。以上により、照明光学系αが構成される。
【００５７】
５８は青（Ｂ：例えば４３０〜４９５ｎｍ）と赤（Ｒ：例えば５９０〜６５０ｎｍ）の波長領域の光を反射し、緑（Ｇ：例えば５０５〜５８０ｎｍ）の波長領域の光を透過するダイクロイックミラーである。
【００５８】
５９は透明基板に偏光素子を貼り付けたＧ用の入射側偏光板であり、Ｐ偏光光のみを透過する。
【００５９】
６０は多層膜により構成された偏光分離面においてＰ偏光光を透過し、Ｓ偏光光を反射する第１偏光ビームスプリッタである。
【００６０】
６１Ｒ，６１Ｇ，６１Ｂはそれぞれ、入射した光を反射するとともに画像変調する画像形成素子（若しくは光変調素子）としての赤用反射型液晶パネル、緑用反射型液晶パネル及び青用反射型液晶パネルである。
【００６１】
６２Ｒ，６２Ｇ，６２Ｂはそれぞれ、赤用１／４波長板、緑用１／４波長板及び青用１／４波長板である。
【００６２】
６４ａはＲ光の色純度を高めるためにオレンジ光をランプ１に戻すトリミングフィルタである。
【００６３】
６４ｂは透明基板に偏光素子を貼り付けたＲＢ用入射側偏光板であり、Ｐ偏光のみを透過する。
【００６４】
６５はＲ光の偏光方向を９０度変換し、Ｂ光の偏光方向は変換しない色選択性位相差板である。
【００６５】
６６は偏光分離面においてＰ偏光を透過し、Ｓ偏光を反射する第２偏光ビームスプリッタである。
【００６６】
６８ＢはＢ用射出側偏光板（偏光素子）であり、Ｂ光のうちＳ偏光成分のみを整流する。
【００６７】
６８ＧはＧ光のうちＳ偏光成分のみを透過させるＧ用出側偏光板である。
【００６８】
６９はＲ光及びＢ光を透過し、Ｇ光を反射するダイクロイックプリズムである。
【００６９】
以上のダイクロイックミラー５８〜ダイクロイックプリズム６９により、色分解合成光学系βが構成される。
【００７０】
本実施例において、偏光変換素子４５はＰ偏光をＳ偏光に変換するが、ここでいうＰ偏光とＳ偏光は、偏光変換素子４５における光の偏光方向を基準として述べている。一方、ダイクロイックミラー５８に入射する光は、第１及び第２偏光ビームスプリッタ６０，６６での偏光方向を基準として考え、Ｐ偏光光であるとする。すなわち、本実施例では、偏光変換素子４５から射出された光をＳ偏光光とするが、同じＳ偏光光をダイクロイックミラー５８に入射する場合はＰ偏光光として定義する。
【００７１】
（光学的作用）
次に、光学的な作用を説明する。
【００７２】
発光管４１から発した光はリフレクタ４２により所定の方向に集光される。リフレクタ４２は放物面形状の凹面鏡を有し、放物面の焦点位置からの光は該放物面の対称軸に平行な光束となる。但し、発光管４１からの光源は理想的な点光源ではなく、有限の大きさを有しているので、集光する光束には放物面の対称軸に平行でない光の成分も多く含まれている。
【００７３】
これらの光束は、第１シリンダアレイ４３ａに入射する。第１シリンダアレイ４３ａに入射した光束は、シリンダレンズセルの数に応じた複数の光束に分割されて集光され、垂直方向に並ぶ帯状の複数の光束となる。そして、これら複数の分割光束は、紫外線吸収フィルタ４４及び第２シリンダアレイ４３ｂを経て、複数の光源像を偏光変換素子４５の近傍に形成する。
【００７４】
図３を用いて偏光変換素子４５の構成について説明する。
【００７５】
偏光変換素子４５は、複数の偏光分離面４５ａと、複数の反射面４５ｂから構成される偏光素子と、複数の１／２波長板（位相差板）４５ｃとを有する。上記複数の分割光束（無偏光光）は、その列に対応した偏光分離面４５ａに入射し、該偏光分離面４５ａを透過したＰ偏光と該偏光分離面４５ａで反射したＳ偏光とに分離される。
【００７６】
偏光分離面４５ａで反射したＳ偏光は、反射面４５ｂで反射してＰ偏光と同じ方向に射出する。一方、偏光分離面４５ａを透過したＰ偏光は、１／２波長板４５ｃにより偏光方向を９０度回転されてＳ偏光に変換されるこうして、同じ偏光方向を有する複数の光束（直線偏光）が射出する。
【００７７】
前述の偏光素子は短冊形状が貼り合せあれており、前述の偏光分離面４５ａと、複数の反射面４５ｂ部が接着固定されている。
【００７８】
偏光変換された複数の光束は、偏光変換素子４５から射出した後、フロントコンプレッサ４６で圧縮され、反射ミラー４７によって８８度反射され、第３シリンダアレイ４３ｃに入射する。
【００７９】
第３シリンダアレイ４３ｃに入射した光束は、シリンダレンズセルの数に応じた複数の光束に分割されて集光され、水平方向に並ぶ帯状の複数の光束となる。該複数の分割光束は、第４シリンダアレイ４３ｄ及びコンデンサーレンズ４８を介してリアコンプレッサ４９に入射する。
【００８０】
フロントコンプレッサ４６、コンデンサーレンズ４８及びリアコンプレッサ４９の光学作用によって、複数の光束によって形成される矩形像は互いに重なり合い、矩形の均一な明るさの照明エリアを生成する。この照明エリアに、反射型液晶パネル６１Ｒ，６１Ｇ，６１Ｂが配置される。このようにして、反射型液晶パネル６１Ｒ，６１Ｇ，６１Ｂを照明する光が生成される。
【００８１】
偏光変換素子４５によってＳ偏光とされた光は、ダイクロイックミラー５８に入射する。以下、ダイクロイックミラー５８を透過したＧ光の光路について説明する。
【００８２】
ダイクロイックミラー５８を透過したＧ光は、入射側偏光板５９に入射する。Ｇ光はダイクロイックミラー５８によって分解された後もＰ偏光（偏光変換素子４５を基準とする場合はＳ偏光）となっている。そして、Ｇ光は入射側偏光板５９から射出した後、第１偏光ビームスプリッタ６０に対してＰ偏光として入射し、その偏光分離面を透過してＧ用反射型液晶パネル６１Ｇへと至る。
【００８３】
ここで、該プロジェクタのＩＦ基板２５には、パーソナルコンピュータ、ＤＶＤプレーヤ、テレビチューナ等の画像供給装置８０が接続されている。制御基板１１は、画像供給装置８０から入力された画像情報に基づいて反射型液晶パネル６１Ｒ，６１Ｇ，６１Ｂを駆動し、これらに各色用の原画を形成させる。これにより、各反射型液晶パネルに入射した光は、反射されるとともに原画に応じて変調（画像変調）される。画像供給装置８０とプロジェクタとにより画像表示システムが構成される。
【００８４】
Ｇ用反射型液晶パネル６１Ｇにおいては、Ｇ光が画像変調されて反射される。画像変調されたＧ光のうちＰ偏光成分は、再び第１偏光ビームスプリッタ６０の偏光分離面を透過して光源側に戻され、投射光から除去される。一方、画像変調されたＧ光のうちＳ偏光成分は、第１偏光ビームスプリッタ６０の偏光分離面で反射され、投射光としてダイクロイックプリズム６９に向かう。
【００８５】
このとき、すべての偏光成分をＰ偏光に変換した状態（黒を表示した状態）において、第１偏光ビームスプリッタ６０とＧ用反射型液晶パネル６１Ｇとの間に設けられた１／４波長板６２Ｇの遅相軸を所定の方向に調整する。これにより、第１偏光ビームスプリッタ６０とＧ用反射型液晶パネル６１Ｇで発生する偏光状態の乱れの影響を小さく抑えることができる。
【００８６】
第１偏光ビームスプリッタ６０から射出したＧ光は、ダイクロイックプリズム６９に対してＳ偏光として入射し、該ダイクロイックプリズム６９のダイクロイック膜面で反射して投射レンズ５へと至る。
【００８７】
一方、ダイクロイックミラー５８で反射したＲ光とＢ光は、トリミングフィルタ６４ａに入射する。Ｒ光とＢ光はダイクロイックミラー５８によって分解された後もＰ偏光となっている。そして、Ｒ光とＢ光は、トリミングフィルタ６４ａでオレンジ光成分がカットされた後、入射側偏光板６４ｂを透過し、色選択性位相差板６５に入射する。
【００８８】
色選択性位相差板６５は、Ｒ光の偏光方向のみを９０度回転させる作用を有し、これによりＲ光はＳ偏光として、Ｂ光はＰ偏光として第２偏光ビームスプリッタ６６に入射する。
【００８９】
Ｓ偏光として第２偏光ビームスプリッタ６６に入射したＲ光は、該第２偏光ビームスプリッタ６６の偏光分離面で反射され、Ｒ用反射型液晶パネル６１Ｒへと至る。また、Ｐ偏光として第２偏光ビームスプリッタ６６に入射したＢ光は、該第２偏光ビームスプリッタ６６の偏光分離面を透過してＢ用反射型液晶パネル６１Ｂへと至る。
【００９０】
Ｒ用反射型液晶パネル６１Ｒに入射したＲ光は、画像変調されて反射される。画像変調されたＲ光のうちＳ偏光成分は、再び第２偏光ビームスプリッタ６６の偏光分離面で反射されて光源側に戻され、投射光から除去される。一方、画像変調されたＲ光のうちＰ偏光成分は、第２偏光ビームスプリッタ６６の偏光分離面を透過して、投射光としてダイクロイックプリズム６９に向かう。
【００９１】
また、Ｂ用反射型液晶パネル６１Ｂに入射したＢ光は、画像変調されて反射される。画像変調されたＢ光のうちＰ偏光成分は、再び第２偏光ビームスプリッタ６６の偏光分離面を透過して光源側に戻され、投射光から除去される。一方、画像変調されたＢ光のうちＳ偏光成分は、第２偏光ビームスプリッタ６６の偏光分離面で反射して、投射光としてダイクロイックプリズム６９に向かう。
【００９２】
このとき、第２偏光ビームスプリッタ６６とＲ用，Ｂ用反射型液晶パネル６１Ｒ，６１Ｂとの間に設けられた１／４波長板６２Ｒ，６２Ｂの遅相軸を調整することにより、Ｇ光の場合と同じように、Ｒ，Ｂ光それぞれの黒表示状態での調整を行うことができる。
【００９３】
こうして１つの光束に合成されて第２偏光ビームスプリッタ６６から射出したＲ光とＢ光は、射出側偏光板６８Ｂで検光されてダイクロイックプリズム６９に入射する。また、Ｒ光はＰ偏光のまま射出側偏光板６８Ｂを透過して、ダイクロイックプリズム６９に入射する。
【００９４】
射出側偏光板６８Ｂで検光されることにより、Ｂ光は、該Ｂ光が第２偏光ビームスプリッタ６６、Ｂ用反射型液晶パネル６１Ｂ及び１／４波長板６２Ｂを通ることによって生じた無効な成分がカットされた光となる。
【００９５】
そして、ダイクロイックプリズム６９に入射したＲ光とＢ光は、ダイクロイック膜面を透過して、該ダイクロイック膜面にて反射したＧ光と合成されて投射レンズ５に至る。
【００９６】
そして、合成されたＲ，Ｇ，Ｂ光は、投射レンズ５によってスクリーンなどの被投射面に拡大投影される。
【００９７】
次に、本実施例のプロジェクタにおける偏光変換素子４５の冷却構造（冷却手段）について、図４及び図５を用いて説明する。
【００９８】
偏光変換素子４５への冷却風は、不図示の偏光変換素子冷却ファンからの冷却風をダクト（導風路）を通し、光学ボックス６の穴から偏光変換素子４５に供給される。ダクトの吹き出し口に対応する光学ボックス６の穴６ｂを冷却風が通って偏光変換素子４５に供給される。
【００９９】
偏光変換素子４５の入射側には、前述した第２シリンダアレイ４３ｂが配置され、射出側には、前述したフロントコンプレッサ４６が配置されている。冷却風は、第２シリンダアレイ４３ｂと偏光変換素子４５との間及びフロントコンプレッサ４６と偏光変換素子４５との間の空間を流れ、光学ボックス蓋７に形成された不図示の穴を通って光学ボックス６外に流出し、更に筺体外に排出される。
【０１００】
図４に示すように、冷却風は偏光変換素子４５の位相差板４５ｃの後方側から偏光変換素子４５に向かって吹き出される。
【０１０１】
本実施例では、偏光変換素子４５の位相差板４５ｃを保持する位相差板保持枠７０に、導風形状７０ａを設け、冷却風を位相差板４５ｃが配置されていない位相に導風を行なう構成としている。
【０１０２】
上記導風板７０ａは位相差板４５ｃが所定の間隔で配置されていない間隔で配置されており、冷却風が上記導風形状７０ａにより位相差板４５ｃが配置されていない領域を位相差板４５ｃの長手方向に平行に導風される（冷却風Ａ）。
【０１０３】
また、導風形状７０ａが配置されていない領域においては、第２シリンダアレイ４３ｂが配置されている入射側に冷却風Ｂが導風され、偏光変換素子４５の入射面側の冷却を行なう。
【０１０４】
本実施例のように導風形状７０ａにより位相差板４５ｃが配置されていない領域に積極的に冷却風を送ることにより、位相差板４５ｃの厚み分の冷却効率を損なうことなく、偏光素子の表裏面に冷却風を送ることが出来るため、偏光素子の接着剤の劣化を低減することが出来る。
【符号の説明】
【０１０５】
１  光源ランプ、６  光学ボックス、７  光学ボックス蓋、１４  ランプ冷却ファン、
１５，１６  ランプダクト、４５  偏光変換素子、４５ａ  偏光分離面、
４５ｂ  反射面、４５ｃ  １／２波長板、６１Ｒ，６１Ｇ，６１Ｒ  反射型液晶パネル、
７０  位相差板保持枠、７０ａ  遮光部、７０ｂ  透光部、Ａ  出射側冷却風、
Ｂ  入射側冷却風
【図１】
2018004849.tif 000003
【図２】
2018004849.tif 000004
【図３】
2018004849.tif 000005
【図４】
2018004849.tif 000006
【図５】
2018004849.tif 000007